(57)【要約】【課題】この発明は、テレビ、パ−ソナルコンピュ−タのディスプレイ部においてその視野領域を大きく確保でき、堅牢でコンパクトな構造であって、ディスプレイ部の位置を所望に応じて円滑に変更できるディスプレイ支持装置を提供する。【解決手段】コンピュ−タ、ワ−ドプロセッサ又はテレビのディスプレイ部２を支持する支持パネル５と壁や支柱などの取付面１に取付けられる取付パネル３と、この取付パネル３と支持パネル５との間に重ね合わされて介挿された少なくとも１つの旋回パネル４１、４２、４３、４４と、隣接旋回パネル間で一方の旋回パネルの一つの側縁を他方の旋回パネルの対向側縁に旋回自在に結合させる旋回装置とを設ける。【選択図】　　　　図１
2004084909.tif 000002
【特許請求の範囲】
【請求項１】
コンピュ−タ、ワ−ドプロセッサ又はテレビのディスプレイを支持する支持パネルと、
壁や支柱などの取付面に取付けられる取付パネルと、
この取付パネルと前記支持パネルとの間に重ね合わされて介挿された少なくとも１つの旋回パネルと、
隣接旋回パネル間で一方の旋回パネルの一つの側縁を他方の旋回パネルの対向側縁に旋回自在に結合させる旋回装置と、
を設けて成ることを特徴とするディスプレイ部支持装置。
【請求項２】
前記旋回装置に、前記隣接パネルの各対向側縁に設けられた結合部と、この結合部を旋回自在に支承する固定軸とを設けて成ることを特徴とする請求項１記載のディスプレイ部支持装置。
【請求項３】
前記旋回パネルを３つ設けて成ることを特徴とする請求項１記載のディスプレイ部支持装置。
【請求項４】
前記旋回パネルを、方形に枠組みされた型枠材から構成して成ることを特徴とする請求項１又は３記載のディスプレイ部支持装置。
【請求項５】
前記旋回装置における前記結合部を蝶番として構成する一方、この蝶番の枢支軸を前記固定軸として構成して成ることを特徴とする請求項１および２記載のディスプレイ部支持装置。
【請求項６】
前記固定軸を抜差自在に構成して成ることを特徴とする請求項１、２又は５記載のディスプレイ部支持装置。
【請求項７】
前記固定軸の両端をねじ止めして成ることを特徴とする請求項１、２、５又は６記載のディスプレイ部支持装置。
【発明の詳細な説明】
【０００１】
【産業上の利用分野】
本発明はディスプレイ部支持装置に係り、詳しくは、視野領域が大きく、しかも、堅牢できわめてコンパクトな構造であって、ディスプレイ部の位置を円滑に変更でき、更に、事務机上で用いるときには適正な位置まで引出して使用し、使用しないときには簡単に収納できるディスプレイ支持装置に係る。
【０００２】
【従来の技術】
最近は、テレビやパソコン等のディスプレイ部は従来その立方体的形状のものから、液晶モニタ−の採用により薄く軽量化し、広く用いられ、壁や支柱に懸けて使用したり、事務机の上において使用することが多くなっている。
【０００３】
とくに、エレクトロニクス技術の進歩が目覚しい昨今では、テレビやパソコン等のディスプレイ部はブラウン管方式（立方体形状）から液晶式（ＬＣＤ）やプラズマアドレス液晶式（ＰＡＬＣ）に移っており、薄型軽量のディスプレイ部で鮮明な画像が得られるようになっている。
【０００４】
このため、テレビ、パソコン等のディスプレイ部は床や台の上において使用されるものでなく、絵画や鏡のように壁に懸けて使用したり、事務机の上で事務用具の一つとして使用される傾向にある。
【０００５】
この薄型ディスプレイ部は壁懸けとして利用すると、住空間を快適にし、事務机の上で事務具の一つとして使用されることは事務仕事の合理化も達成できる。しかし、壁懸けできる薄型軽量のディスプレイ部であっても、絵画や鏡の扱いに見るよう壁画に接して固定的に設置される固定方式のものであるため、視る位置によっては、二台、三台のディスプレイ部が必要になっている。また、事務机上で事務具の一つとして使用する場合は、ディスプレイ部は常に下向き姿勢で使用されるため、長時間の使用は健康を損ない好ましくない。
【０００６】
一方、ディスプレイ部を壁などに固定して設置したときは、正面のほか左右の側面の視野はせいぜい４０°程度の領域であって、可視領域がきわめて狭い。
【０００７】
また、このようなところを解決するために容易に想起できる手段として、片開きドアの原理を用いてディスプレイ部の可視領域を拡げることも考えられる。
【０００８】
しかし、この片開きドア方式はこの機構そのものが大型化し、壁面の材質が弱いと取付けられない。さらに、このところから、ドア方式は、取付位置を考慮しなければならないことになり、仮りに取付けられても、ディスプレイ部を取付ける取付具などが露出し、美感が損ない、可視領域も２つの片開きドアを開いたときでも、約１８０°程度かそれ以下になる。
【０００９】
この点から、本発明者は先に壁面に取付ける壁取付面とディスプレイ部を支持する支持面との間にリンク装置を介在させ、このリンク装置の機能によってディスプレイ部の可視領域を拡大したディスプレイ支持装置を提案した。ディスプレイ支持装置は壁面に吊り下げられ、介在するリンク装置は複数のリンク棒が組み合わされてこれにリンク棒が所定のリンク運動を行なうものである。すなわち、リンク棒はその両端部が反対方向に折曲げて張り出したものであって、このリンク棒が向き変えて組み合わせて構成される。この構成のリンク装置の前面から張り出される張り出し部は壁取付面に取付けられ、後面から張り出される張り出し部には支持面を取付けてこの支持面でディスプレイ部を保持したものである。
【００１０】
このような構成のリンク装置であると、各リンク棒が固定される共通の枢支軸を中心として各リンク棒が旋回できるため、リンク棒の旋回によってディスプレイ部を保持する支持面を壁取付面に対しその方向を変えることができ、方向を変えたいと思うときには、リンク棒を共通の枢支軸の回りで旋回させるのみで達成できるため、有効なディスプレイ支持装置である。
【００１１】
しかし、このディスプレイ装置に介在させるリンク装置は先にのべたとおりの構造のリンク棒の組み合わせであり、構造が複雑である。また、ディスプレイ部を保持したときに、その支持荷重がリンク棒にかかる。とくにディスプレイ部による支持荷重が大きくなると、それによって各リンク棒の旋回中心を成す枢支軸が彎曲し、リンク棒が枢支軸を中心として円滑に旋回できないことも起り易い。
【００１２】
すなわち、ディスプレイ部の支持荷重は主としてリンク装置のリンク棒の旋回中心、つまり枢支軸にかかり、この支持荷重はリンク装置の幅との積ともなるため、壁取付面に接近する部位の枢支軸で円滑に旋回できないことが多い。
【００１３】
【発明が解決しようとする課題】
本発明はこのような問題を解決することを目的とするものであって、具体的には、視野領域が大きく、しかも、堅牢できわめてコンパクトな構造であって、ディスプレイ部の位置を円滑に変更でき、更に、事務机上で用いるときには適正な位置まで引出して使用し、使用しないときには簡単かつ場所をとらずに収納できるディスプレイ支持装置を提案することを目的とする。
【００１４】
【課題を解決するための手段】
すなわち、本発明に係るディスプレイ部支持装置には、コンピュ−タ、ワ−ドプロセッサ又はテレビのディスプレイを支持する支持パネルと、壁や支柱などの取付面に取付けられる取付パネルとが設けられ、これらの間に少なくとも１つの旋回パネルが介設されて、これら旋回パネルのうちで隣接するる旋回パネルの間で一方の対向側縁で旋回パネルが旋回できるよう構成されている。
【００１５】
また、旋回パネルを一方又は他方の側縁の固定軸で最大１８０°旋回できるよう構成できる。
【００１６】
また、旋回パネルは３つ又はそれ以上設けて、さらに、旋回パネルは方形に枠組みされた型枠材から構成することもできる。
【００１７】
また、旋回パネルの各側縁部に蝶番を設け、各蝶番の枢支軸を固定軸として旋回パネルを旋回自在に構成することができる。
【００１８】
また、固定軸は抜差自在に構成する一方、固定軸の両端をねじ止めできるよう構成することもできる。
【００１９】
そこで、これら手段たる構成およびその作用について図面によりさらに詳しく説明すると、つぎのとおりである。
【００２０】
なお、図１は本発明の一つの実施例に係るディスプレイ部支持装置の平面図である。
【００２１】
図２は本発明の一つの実施例に係る支持装置によりディスプレイ部を引き出す際の説明図である。
【００２２】
図３は本発明の一つの実施例に係る支持装置におけるディスプレイ部の位置変更態様の一つの説明図である。
【００２３】
図４は本発明の一つの実施例に係る支持装置によるディスプレイ部の他の位置変化態様の説明図である。
【００２４】
図５は本発明の一つの実施例に係る支持装置によるディスプレイ部の他の位置変化態様の説明図である。
【００２５】
図６は本発明の一つの実施例に係る支持装置によるディスプレイ部の他の位置変化態様の説明図である。
【００２６】
図７は旋回装置の一例の説明図である。
【００２７】
図８は本発明の他の実施例に係る支持装置の説明図である。
【００２８】
図９は本発明の他の実施例に係る支持装置の正面図である。
【００２９】
まず、図１において符号１は壁又は支柱などの取付面を示す。２はテレビ、パ−ソナルコンピュ−タなどのディスプレイ部を示す。なお、テレビなどのように本体部とディスプレイ部が一体となっているものでは、本体部は図示せずにディスプレイ部２のみを示す。この取付面１には取付パネル３が取付けられる。取付パネル３には、後記のように、少なくとも１つの旋回パネル４１、４２、４３が重ね合わされて介在され、旋回パネル４３に支持パネル５が旋回自在に結合され、支持パネル５によってディスプレイ部２が保持される。
【００３０】
すなわち、壁や支柱の取付面１は、図１に示すように、壁の一部を直接取付面として構成することもできるが、図示はしないが、壁の一部に取付板を着脱自在（例えば吸着具などを用いて）に取付けておき、この取付板を取付面１として取付パネル３を取付けることもできる。この取付板は取付けに必要な個所にビス穴を設けたり、一部に吊り下げ用具や穴を設けたりして、その用具を介して取付パネル３に吊り下げるように構成することもできる。
【００３１】
このように壁面などの支持面に取付けられる取付面１に対し、後記のように、少なくとも１つの旋回パネル、図１の例によれば、３つの旋回パネル４１、４２、４３を層状に重ね合わせて取付け、さらに、これら旋回パネルを介在させてディスプレイ部２を支持する支持パネル５を取付ける。
【００３２】
取付パネル３、後でのべるとおり、旋回パネル４１〜４３および支持パネル５がそれぞれの一つの対向側縁で互いに旋回できるように組み合わされて構成され、この構成により支持パネル５の位置は所望に応じて変えることができ、前後にも自由に伸長又は縮めることができる。
【００３３】
すなわち、支持パネル５はディスプレイ部２を背面から支えるものである。図１に示す例のように、必ずしも支持パネル５によってディスプレイ部２を直接支える必要がない。例えば、ディスプレイ部２と支持パネル５との間に支持板（図示せず）を介在させ、この支持板の表面にディスプレイ部２の保持具を取付けておき、この保持具にディスプレイ部をはめ込むように構成することもできる。
【００３４】
また、支持板は垂直に固定して配置することもできるが、所望に応じて、傾動できるように配置することもできる。すなわち、パ−ソナルコンピュ−タなどのディスプレイ部は常に無理のない姿勢で視ることが望ましい。このため、支持板を所望通りに傾動させると、常に無理のない姿勢をとることができる。
【００３５】
次に、以上のとおり、取付パネル３と支持パネル５との間に介設される３つの旋回パネル４１、４２、４３、また、所望に応じて、４つの旋回パネル４１、４２、４３、４４は、つぎのとおり構成する。
【００３６】
まず、図１に示す例は３つの旋回パネル４１、４２、４３が層状に重ね合わされて介設され、図８に示す例は４つの旋回パネル４１、４２、４３、４４が介設されている。いずれに構成されていても、重ね合わされた旋回パネルは、互いに隣接する旋回パネルとの間において、又は取付パネル３との間や支持パネル５との間において旋回自在に構成されている。例えば図１に示す例によると、一つの旋回パネル４１と取付パネル３との間で旋回パネル４１の一方の側縁は取付パネル３の対向側縁に旋回自在に取付けられている。一つの旋回パネル４１に隣接する旋回パネル４２では、その一方の側縁が旋回パネル４１の他方の側縁に対向し、そこで旋回自在に結合される。これと同様に、旋回パネル４２は旋回パネル４３に結合され、旋回パネル４３の他方の側縁は支持パネル５に旋回自在に取付けられている。
【００３７】
以上のとおり、図１や図８に示すように、少なくとも３つの旋回パネル４１、４２、４３又は４つの旋回パネル４１、４２、４３、４４が重ね合わされて隣接する側縁が互いに旋回自在に結合されていると、例えば、事務机などの上でパ−ソナルコンピュ−タを使用するときに、図２に示すように、旋回パネル４１、４２、４３、４４を引き伸ばし、ディスプレイ部２を使用し易いところまで引き出すことができる。使用後には縮めて収納できる。すなわち、図１は３つの旋回パネル４１、４２、４３が縮められた状態を示し、この状態で事務机の隅などにコンパクトに収納される。
【００３８】
また、図１に示す例のように、３つの旋回パネル４１、４２、４３を組み合わせたときには、各旋回パネルのそれぞれの側縁には固定軸４１１、４１２、４１３が取付けられる。これら固定軸４１１、４１２、４１３並びに５１を中心として、３つの旋回パネル４１、４２、４３と支持パネル５とは旋回できるように構成されている。
【００３９】
すなわち、旋回パネル４１の一方の側縁は固定軸４１１を介して取付パネル３に取付けられ、他方の側縁は固定軸４１２を介して旋回パネル４２の一方の側縁に取付けられている。同様に旋回パネル４２の他方の側縁は固定軸４１３を介して旋回パネル４３の一方の側縁に取付けられ、旋回パネル４３の他方の側縁は固定軸５１を介して支持パネル５の一方の側縁に取付けられている。なお、図８に示す例の場合には、４つの旋回パネル４１、４２、４３、４４から成るため、旋回パネル４３の他方の側縁は固定軸４１４を介して旋回パネル４４の一方の側縁に取付けられ、旋回パネル４４の他方の側縁は固定軸５１を介して支持パネル５の一方の側縁に取付けられている。
【００４０】
このように３つ乃至４つの旋回パネルが互い違いに旋回自在に組み合わされると、介設される各旋回パネル４１、４２、４３、４４はそれぞれの各側縁において固定軸４１１、４１２、４１３、４１４および５１で方向を変えて、つまり時針方向か反時針方向に半回転でき、支持パネル５も固定軸５１で一つの方向、つまり、反時針方向に半回転できる。このため、ディスプレイ部２を引き出すときには、図８に示す４つの旋回パネルから成る場合には、図２に示すように、各旋回パネル４１、４２、４３、４４は旋回されて、前方に、つまり、オペレ−タ又は視る人の方に引き出すことができる。
【００４１】
この場合、図１に示す支持装置と図８に示す支持装置では、前者が３つの旋回パネルから成るのに対し、後者は３つの旋回パネルから成っている。このため、前者は後者に較べて引き出されるストロ−クが短かくしかとることができない。このため、長いストロ−クをとる必要があるときには、ストロ−クに応じて、旋回パネルの数をふやすのが好ましい。
【００４２】
また、以上のように旋回パネルの各側縁を半回転できるように構成する場合に、この半回転の範囲を一定の範囲内に拘束するためには、図１に示す支持装置では、蝶番４２１、４２２、４２３および５２を用い、図８に示す支持装置ではこのほかに蝶番４２４を加えて用いることができる。すなわち、取付パネル３、各旋回パネル４１、４２、４３、４４および支持パネル５の間に蝶番４２１、４２２、４２３、４２４、５２を介設し、これら各パネル３、４１、４２、４３、更に、４４および５がそれぞれの側縁で片開きになるよう、構成する。
【００４３】
例えば、ディスプレイ部２を支持する支持パネル５を開くときは、蝶番５２の固定軸５１を中心として回転させて支持パネル５を開く。このときに、蝶番５２であると、支持パネル５を半回転させたときに、その側端面は旋回パネル４４の対向側端面に接触し、回転は拘束されて支持パネル５は半回転したところで停止する。このようなところは、各旋回パネル４１、４２、４３を開くときも同様であって、蝶番４２１、４２２、４２３、４２４であると、対向する端面の接触により拘束されて半回転される。
【００４４】
そこで、以上の通りに構成されるディスプレイ支持装置について、更に、図８に示す支持装置の使用態様を通じて説明すると、つぎのとおりである。なお、図１に示す支持装置は旋回パネルの数が１つ少ないだけであって、使用態様は図８に示す支持装置と実質的に同等である。
【００４５】
図３はディスプレイ部２の位置を移動させて一方の側方からの視野でみられるようにする場合であって、この場合は、支持パネル５のみを反時針方向に旋回させる。
【００４６】
図４は反対の側方からの視野に対応する場合であって、この場合は、支持パネル５を旋回パネル４４と一体に時針方向に旋回させる。
【００４７】
図５および図６はいずれも背後からの視野に対応する場合であって、この場合は、支持パネル５のみ又は支持パネル５を旋回パネル４４と一体にして時針方向又は反時針方向に半回転させる。
【００４８】
また、蝶番を用いる代りに、図７に示すように、各パネルに対し固定軸を抜差自在に設け、この固定軸の両端をねじ止めして固定することもできる。
【００４９】
図７において、例えば、隣接する旋回パネル４１、４２の一部を示している。この旋回パネル４１、４２の間において、対応する各側縁を矢印に示すとおり押込んで組み合わせて結合部４１Ａ、４２Ａを形成し、これを組み合わせ、その筒状部又は管状部に固定軸４１２を挿入し、この固定軸４１２を中心として旋回パネル４１、４２は旋回できるようにする。
【００５０】
このように構成すると、取付パネル３、旋回パネル４１〜４４や、支持パネル５はそれぞれの固定軸を挿入するだけで組み立てることができ、また、固定軸を抜くだけで分解でき、さらに、固定軸そのものを交換するだけでディスプレイ部２の重量の変化にも対応できる。なお、先にのべたとおり、支持パネルや旋回パネルを旋回させたときに、その位置で固定させるのが好ましい。このために、図７に示すように、固定軸４１２をねじ状に構成し、さらに、両端をボルトなどを用いてねじ止めすることもできる。
【００５１】
また、上記の例においては、介在される旋回パネルは板状材から構成する例が示されているが、各旋回パネル４１、４２、４３は、図９に示すように、方形に枠組みされた型枠材として構成することができる。型枠材として構成された旋回パネル４１、４２、４３はその内部の空間内に重ね合わせる旋回パネルを収容することができ、きわめて薄く収納できる。この型枠材として構成する場合にも、型枠材の内側縁に固定軸４１１、４１２、４１３を設けると、上記のところと同等の効果が達成できる。
【００５２】
【発明の効果】
以上のとおり、本発明は、コンピュ−タ、ワ−ドプロセッサ又はテレビのディスプレイを支持する支持パネルと、壁や支柱などの取付面に取付けられる取付パネルと、この取付パネルと支持パネルとの間に重ね合わされて介挿された少なくとも１つの旋回パネルと、隣接旋回パネル間で一方の旋回パネルの一つの側縁を他方の旋回パネルの対向側縁に旋回自在に結合させる旋回装置とを設けて成ることを特徴とする。
【００５３】
したがって、本発明に係るディスプレイ部支持装置は、コンピュ−タ、ワ−ドプロセッサ又はテレビのディスプレイ部を支持する支持パネルと壁や支柱などの取付面に取付けられる取付パネルとの間に介設される旋回パネルは板状のパネル板から成って、このパネル板そのものが旋回してディスプレイ部の方向を変更するため、ディスプレイ部の支持荷重にかかわらず、円滑に旋回でき、構造としてもコンパクトで強固な構造となる。
【００５４】
また、旋回パネルは何層にも重ね合わせて構成でき、事務机上において自由に引き出して使用できる。
【００５５】
また、旋回パネルは各側縁を方向を変えて旋回自在に構成されるため、ディスプレイ部に対する視覚領域は両側面および背後まで拡大できる。さらに、旋回パネルを型枠材として構成し、この型枠材の内部空間内に重ね合わされる型枠材が順次に収容されるよう構成すると、型枠材から成る旋回パネルの数も自由にふやしても、きわめて薄くかつコンパクトに収納できる。
【図面の簡単な説明】
【図１】本発明の一つの実施例に係るディスプレイ部支持装置の平面図である。
【図２】本発明の一つの実施例に係る支持装置によりディスプレイ部を引き出す際の説明図である。
【図３】本発明の一つの実施例に係る支持装置におけるディスプレイ部の位置変更態様の一つの説明図である。
【図４】本発明の一つの実施例に係る支持装置によるディスプレイ部の他の位置変化態様の説明図である。
【図５】本発明の一つの実施例に係る支持装置によるディスプレイ部の他の位置変化態様の説明図である。
【図６】本発明の一つの実施例に係る支持装置によるディスプレイ部の他の位置変化態様の説明図である。
【図７】旋回装置の一例の説明図である。
【図８】本発明の他の実施例に係る支持装置の説明図である。
【図９】本発明の他の実施例に係る支持装置の正面図である。
【符号の説明】
１　取付面
２　ディスプレイ部
３　取付パネル
５　支持パネル
４１、４２、４３、４４　旋回パネル
【図１】
2004084909.tif 000003
【図２】
2004084909.tif 000004
【図３】
2004084909.tif 000005
【図４】
2004084909.tif 000006
【図５】
2004084909.tif 000007
【図６】
2004084909.tif 000008
【図７】
2004084909.tif 000009
【図８】
2004084909.tif 000010
【図９】
2004084909.tif 000011
【手続補正書】
【提出日】平成14年10月11日(2002.10.11)
【手続補正１】
【補正対象書類名】明細書
【補正対象項目名】０００８
【補正方法】変更
【補正の内容】
【０００８】しかし、この片開きドア方式はこの機構そのものが大型化し、壁面の材質が弱いと取付けられない。さらに、このことから、ドア方式は、取付位置を考慮しなければならないことになり、仮りに取付けられても、ディスプレイ部を取付ける取付具などが露出し、美感が損ない、可視領域も２つの片開きドアを開いたときでも、約１８０°程度かそれ以下になる。


【手続補正２】
【補正対象書類名】明細書
【補正対象項目名】０００９
【補正方法】変更
【補正の内容】
【０００９】この点から、本発明者は先に壁面に取付ける壁取付面とディスプレイ部を支持する支持面との間にリンク装置を介在させ、このリンク装置の機能によってディスプレイ部の可視領域を拡大したディスプレイ支持装置を提案した。ディスプレイ支持装置は壁面に吊り下げられ、介在するリンク装置は複数のリンク棒が組み合わされてこれにリンク棒が所定のリンク運動を行なうものである。すなわち、リンク棒はその両端部が反対方向に折曲げて張り出したものであって、このリンク棒が向きを変えて組み合わせて構成される。この構成のリンク装置の前面から張り出される張り出し部は壁取付面に取付けられ、後面から張り出される張り出し部には支持面を取付けてこの支持面でディスプレイ部を保持したものである。


【手続補正３】
【補正対象書類名】明細書
【補正対象項目名】００１４
【補正方法】変更
【補正の内容】
【００１４】
【課題を解決するための手段】すなわち、本発明に係るディスプレイ部支持装置には、コンピュ−タ、ワ−ドプロセッサ又はテレビのディスプレイを支持する支持パネルと、壁や支柱などの取付面に取付けられる取付パネルとが設けられ、これらの間に少なくとも１つの旋回パネルが介設されて、これら旋回パネルのうちで隣接する旋回パネルの間で一方の対向側縁で旋回パネルが旋回できるよう構成されている。


【手続補正４】
【補正対象書類名】明細書
【補正対象項目名】００４１
【補正方法】変更
【補正の内容】
【００４１】この場合、図１に示す支持装置と図８に示す支持装置では、前者が３つの旋回パネルから成るのに対し、後者は４つの旋回パネルから成っている。このため、前者は後者に較べて引き出されるストロ−クが短かくしかとることができない。このため、長いストロ−クをとる必要があるときには、ストロ−クに応じて、旋回パネルの数をふやすのが好ましい。